(57)【要約】【課題】カバーに形成された中空軸部が本体に回転可能に支持される携帯端末機に構成されて、中空軸部を中心としてカバーを時計回りまたは反時計回りに回転させるための携帯端末機用スイング式カバー開閉装置を提供する。【解決手段】スイング式カバー開閉装置１００は、前記中空軸部が貫通する貫通孔１１を有し、その周辺部分に環状突起１２を一体に形成している固定板１０と、中空３１を有し、環状突起１２に回転可能に結合され、中空３１に中空軸部が嵌合された状態でカバーと締結される回転体３０と、中空３１に対応する支持孔５１を形成し、支持孔５１を通じて回転体３０を支持すると共に固定板１０と結合するカバー部材５０と、固定板１０及び回転体３０に回転可能に結合され、前記カバーを通じた回転体３０の回転によってその回転体３０へ弾発力を提供する弾性ユニット７０とを含んで構成される。【選択図】図３
2011526764.tif 000002
【特許請求の範囲】
【請求項１】
本体とカバーとからなり、そのカバーに形成された中空軸部が前記本体に回転可能に支持される携帯端末機に構成されて、前記中空軸部を中心として前記カバーを時計回りまたは反時計回りの方向に回転させるための携帯端末機用スイング式カバー開閉装置において、
前記中空軸部に対応して前記本体の一側に固定されるように設置され、前記中空軸部が貫通する貫通孔を有し、その貫通孔の周辺部分に環状突起を一体に形成している固定板と、
中空を有するディスク形態に構成され、前記環状突起に回転可能に結合され、前記中空に前記中空軸部が嵌合された状態で前記カバーと締結される回転体と、
前記中空に対応する支持孔を形成し、前記支持孔を通じて前記回転体の外側周辺部を支持しながら前記固定板と結合するカバー部材と、
前記固定板及び前記回転体に両端部が各々回転可能に結合されて、前記カバーを通じた前記回転体の回転によってその回転体に弾発力を提供する弾性ユニットと、
を含んで構成されることを特徴とする携帯端末機用スイング式カバー開閉装置。
【請求項２】
前記回転体は、前記カバーを通過した締結部材が締結される複数の締結部を上部面に形成し、前記環状突起と形態の結合を成す結合溝を下部面に形成することを特徴とする、請求項１に記載の携帯端末機用スイング式カバー開閉装置。
【請求項３】
前記回転体は、前記環状突起の内周面を実質的に支持する支持突起を備え、
前記支持突起は前記結合溝の内側壁からなり、前記結合溝の深さより相対的に大きい幅を有して形成されることを特徴とする、請求項２に記載の携帯端末機用スイング式カバー開閉装置。
【請求項４】
前記固定板には、前記回転体に対応して少なくとも９０度以上の軌跡を描く円弧形状のレール部が形成され、前記レール部の両端部に係止部が各々形成され、
前記回転体の下部面には、前記レール部に沿ってスライディングされる突起形態のストッパーが一体に形成されることを特徴とする、請求項１に記載の携帯端末機用スイング式カバー開閉装置。
【請求項５】
前記カバー部材は、締結部材によって前記固定板と結合し、前記固定板との結合力を補強するための少なくとも一つのフックを周辺部分に形成し、
前記固定板の周辺部分には、前記フックに対応してそのフックと結合するフック突起が形成されることを特徴とする、請求項１に記載の携帯端末機用スイング式カバー開閉装置。
【請求項６】
前記弾性ユニットは、
前記固定板にヒンジピンによって回転可能に設置されるハウジングと、
前記回転体の下部面に回転可能に連結され、前記ハウジングの内部にスライディング及びロッキング可能に結合されるスライド部材と、
前記ハウジング内部に設置されて、前記スライド部材に弾発力を発揮する複数のスプリング部材と、
を含んで構成されることを特徴とする、請求項１に記載の携帯端末機用スイング式カバー開閉装置。
【請求項７】
前記固定板には、前記ハウジングの回転軌跡に相応する装着ホールが貫通して形成されることを特徴とする、請求項６に記載の携帯端末機用スイング式カバー開閉装置。
【請求項８】
前記固定板は、前記回転体の予め設定された回転角度を制御する補助ストッパーをさらに含み、
前記補助ストッパーは前記装着ホールの両側孔端からなることを特徴とする、請求項７に記載の携帯端末機用スイング式カバー開閉装置。
【請求項９】
前記ハウジングは、プレート形態からなり、前記各スプリング部材を装着するための複数のスプリング装着溝を幅方向に沿って連続して形成し、前記各スプリング装着溝と連結されると共に前記スライド部材と形態の結合を成すガイド溝を形成し、その両側面に前記ガイド溝と連結される長孔形態のロッキングホールを形成することを特徴とする、請求項６に記載の携帯端末機用スイング式カバー開閉装置。
【請求項１０】
前記スライド部材は、前記ガイド溝に嵌合される板形状を有し、前記ハウジングの両端側のスプリング装着溝に装着された前記各スプリング部材に嵌合される一対の支持ピンを一体に形成し、
前記各支持ピンには、前記ロッキングホールに結合されるロッキング突起を形成することを特徴とする、請求項９に記載の携帯端末機用スイング式カバー開閉装置。
【請求項１１】
前記回転体は前記スライド部材とヒンジ結合されるヒンジ突起を下部面に形成し、
前記スライド部材には、前記ヒンジ突起と結合するヒンジホールが形成されることを特徴とする、請求項１に記載の携帯端末機用スイング式カバー開閉装置。
【請求項１２】
前記ハウジングには前記ヒンジピンを結合するためのヒンジホールが形成されることを特徴とする、請求項１に記載の携帯端末機用スイング式カバー開閉装置。
【請求項１３】
前記本体とカバーとが正四角形を成す携帯端末機に設置され、前記本体とカバーの間でこれらの一側角部分に取り付けられ、前記回転体が９０度の回転軌跡を描きながら前記カバーを時計回りまたは反時計回りの方向に１８０度回転させるように構成されることを特徴とする、請求項１に記載の携帯端末機用スイング式カバー開閉装置。
【発明の詳細な説明】
【技術分野】
【０００１】
本発明の例示的な実施例は、携帯用端末機用カバー開閉装置に関するものであって、より詳しくは、携帯端末機のカバーを半自動的に時計回りまたは反時計回りの方向に回転させられるようにする携帯端末機用スイング式カバー開閉装置に係わる。
【背景技術】
【０００２】
一般に、固定された場所でというより、移動中に通信及び放送などのサービスを無線で利用するためには、携帯電話、ＰＤＡ、ノートパソコン、及びＤＭＢフォーンなどの携帯端末機が多く使用される。
【０００３】
前記携帯端末機は、情報化時代に応じた生活の便宜性を享受するためになくてはならない重要な必需品の中の一つになっており、特に、携帯電話機の場合は、小学生、中学生、高校生から老人まで、普及対象が非常に広範囲である。
【０００４】
前記のように携帯端末機は、最近になって需要量と使用者層が急激に増加しており、これを利用する消費者は、新しいデザインや機能が付与された製品を期待し続けている。
【０００５】
前記携帯端末機は、キーパッドが備えられる本体と、液晶ディスプレイが備えられるカバーが相互開閉可能に結合され、通常、本体に対するカバーの開閉構造によってフォルダー方式、ヒンジ方式、スライディング方式、及びスイング方式などに区分することができる。
【０００６】
そして、最近、ＤＭＢ（ｄｉｇｉｔａｌ  ｍｕｌｔｉｍｅｄｉａ  ｂｒｏａｄｃａｓｔｉｎｇ）サービスが商用化されてきたことに伴って、写真及び動画などのマルチメディアを便利に鑑賞できるように、カバーを本体に対して所定の角度で回転させると、本体とカバーの間に形成されるスイング装置により半自動的に回転されると共にカバーが本体に対して開放される構造を有するスイング式カバー開閉装置が消費者に大人気である。
【０００７】
しかし、従来の技術による大部分の携帯端末機用スイング式カバー開閉装置は半自動的にカバーを開閉するように構成されるために、製品の大きさ及び厚さ、部品数などが増加するという問題点があり、これは携帯端末機の小型化及びスリム化の障害要因となっているので、このような問題点を解決するための技術開発が切実に要求されている。
【０００８】
特に、従来技術では、通常、面接触方式のカム及び弾性部材を採用してカバーを半自動的に開閉させる構造であるため、全体的な構造が複雑であり、カムの面接触によるカバーの開閉作動が安定的でないという問題点を有している。
【発明の概要】
【発明が解決しようとする課題】
【０００９】
本発明の例示的な実施例は前記の問題点を改善するために発明されたものであって、簡単な構造により滑らかなかつ安定的なカバーの開閉動作が行われ、耐久性が向上し、携帯端末機のスリム化及び軽量化を実現するようにする携帯端末機用スイング式カバー開閉装置を提供する。
【課題を解決するための手段】
【００１０】
本発明の例示的な実施例による携帯端末機用スイング式カバー開閉装置は、本体とカバーとからなり、そのカバーに形成された中空軸部が前記本体に回転可能に支持される携帯端末機に構成されて、前記中空軸部を中心として前記カバーを時計回りまたは反時計回りの方向に回転させるためのものであって、前記中空軸部に対応して前記本体の一側に固定されるように設置され、前記中空軸部が貫通する貫通孔を有し、その貫通孔の周辺部分に環状突起を一体に形成している固定板と、中空を有するディスク形態に構成され、前記環状突起に回転可能に結合され、前記中空に前記中空軸部が嵌合された状態で前記カバーと締結される回転体と、前記中空に対応する支持孔を形成し、前記支持孔を通じて前記回転体の外側周辺部を支持しながら前記固定板と結合するカバー部材と、前記固定板及び前記回転体に両端部が各々回転可能に結合されて、前記カバーを通じた前記回転体の回転によってその回転体へ弾発力を提供する弾性ユニットとを含んで構成される。
【００１１】
前記携帯端末機用スイング式カバー開閉装置において、前記回転体は、前記カバーを通過した締結部材が締結される複数の締結部を上部面に形成し、前記環状突起と形態の結合を成す結合溝を下部面に形成することができる。
【００１２】
前記携帯端末機用スイング式カバー開閉装置において、前記回転体は、前記環状突起の内周面を実質的に支持する支持突起を備え、前記支持突起は前記結合溝の内側壁からなり、前記結合溝の深さより相対的に大きい幅を有して形成されることができる。
【００１３】
前記携帯端末機用スイング式カバー開閉装置において、前記固定板には、前記回転体に対応して少なくとも９０度以上の軌跡を描く円弧形状のレール部が形成され、前記レール部の両端部に係止部が各々形成され、前記回転体の下部面には、前記レール部に沿ってスライディングされる突起形態のストッパーが一体に形成されることができる。
【００１４】
前記携帯端末機用スイング式カバー開閉装置において、前記カバー部材は、締結部材によって前記固定板と結合し、前記固定板との結合力を補強するための少なくとも一つのフックを周辺部分に形成し、前記固定板の周辺部分には、前記フックに対応してそのフックと結合するフック突起が形成されることができる。
【００１５】
前記携帯端末機用スイング式カバー開閉装置において、前記弾性ユニットは、前記固定板にヒンジピンによって回転可能に設置されるハウジングと、前記回転体の下部面に回転可能に連結され、前記ハウジングの内部にスライディング及びロッキング可能に結合されるスライド部材と、前記ハウジング内部に設置されて、前記スライド部材に弾発力を発揮する複数のスプリング部材と、を含んで構成されることができる。
【００１６】
前記携帯端末機用スイング式カバー開閉装置において、前記固定板には、前記ハウジングの回転軌跡に相応する装着ホールが貫通して形成されることができる。
【００１７】
前記携帯端末機用スイング式カバー開閉装置において、前記固定板は、前記回転体の予め設定された回転角度を制御する補助ストッパーをさらに含み、前記補助ストッパーは前記装着ホールの両側孔端からなることができる。
【００１８】
前記携帯端末機用スイング式カバー開閉装置において、前記ハウジングは、プレート形態からなり、前記各スプリング部材を装着するための複数のスプリング装着溝を幅方向に沿って連続して形成し、前記各スプリング装着溝と連結されると共に前記スライド部材と形態の結合を成すガイド溝を形成し、その両側面に前記ガイド溝と連結される長孔形態のロッキングホールを形成することができる。
【００１９】
前記携帯端末機用スイング式カバー開閉装置において、前記スライド部材は、前記ガイド溝に嵌合される板形状を有し、前記ハウジングの両端側のスプリング装着溝に装着された前記各スプリング部材に嵌合される一対の支持ピンを一体に形成し、前記各支持ピンには、前記ロッキングホールに結合されるロッキング突起を形成することができる。
【００２０】
前記携帯端末機用スイング式カバー開閉装置において、前記回転体は、前記スライド部材とヒンジ結合されるヒンジ突起を下部面に形成し、前記スライド部材には、前記ヒンジ突起と結合するヒンジホールが形成されることができる。
【００２１】
前記携帯端末機用スイング式カバー開閉装置において、前記ハウジングには、前記ヒンジピンを結合するためのヒンジホールが形成されることができる。
【００２２】
前記携帯端末機用スイング式カバー開閉装置は、前記本体とカバーとが正四角形を成す携帯端末機に設置され、前記本体とカバーの間でこれらの一側角部分に取り付けられ、前記回転体が９０度の回転軌跡を描きながら前記カバーを時計回りまたは反時計回りの方向に１８０度回転させるように構成される。
【発明の効果】
【００２３】
前述のような本発明の例示的な実施例の携帯端末機用スイング式カバー開閉装置によれば、固定板に回転可能に支持される回転体と、その固定板及び回転体にヒンジ結合されるリンクタイプの弾性ユニットを備えることによって、カム構造による面接触方式の従来技術に比べて耐久性が向上し、簡単な構造によってカバーをより滑らかにかつ安定的に開閉させるのが可能である。
【００２４】
また、本実施例では、固定板及び回転体が板形態から構成され、その固定板に弾性ユニットを装着するための装着ホールを形成するので、これによって装置の全体的な厚さを減らすことができ、結果的には携帯端末機のスリム化及び軽量化に有利であるという効果がある。
【図面の簡単な説明】
【００２５】
【図１】本発明の例示的な実施例によるスイング式カバー開閉装置が適用される携帯端末機の一例を示した図である。
【図２】本発明の例示的な実施例によるスイング式カバー開閉装置が適用される携帯端末機の分解斜視図である。
【図３】本発明の例示的な実施例による携帯端末機用スイング式カバー開閉装置の分解斜視図である。
【図４】本発明の例示的な実施例による携帯端末機用スイング式カバー開閉装置の結合斜視図である。
【図５】本発明の例示的な実施例による携帯端末機用スイング式カバー開閉装置の断面構成図である。
【図６】本発明の例示的な実施例による携帯端末機用スイング式カバー開閉装置に適用される回転体の下部面部位を示した斜視図である。
【図７】本発明の例示的な実施例による携帯端末機用スイング式カバー開閉装置に適用される弾性ユニットの構成を示した分解斜視図である。
【図８】本発明の例示的な実施例による携帯端末機用スイング式カバー開閉装置において、携帯端末機のカバーを９０度に開放した状態を示した平面構成図である。
【図９】本発明の例示的な実施例による携帯端末機用スイング式カバー開閉装置において、携帯端末機のカバーを１８０度に開放した状態を示した平面構成図である。
【発明を実施するための形態】
【００２６】
以下、添付した図面を参照して、本発明の実施例について本発明が属する技術分野にて通常の知識を有する者が容易に実施できるように詳しく説明する。しかし、本発明は多様な相違した形態に具現されることができ、ここで説明する実施例に限られない。
【００２７】
図１は、本発明の例示的な実施例によるスイング式カバー開閉装置が適用される携帯端末機の一例を示した図であり、図２は図１の分解斜視図である。
【００２８】
図面を参照すれば、本発明の例示的な実施例によるスイング式カバー開閉装置１００が適用される携帯端末機１としては、キーパッドなどが構成される本体ケース３（以下では、便宜上「本体」という）、及びディスプレイ部などが構成されるカバーケース５（以下では、便宜上「カバー」という）とからなる携帯電話機が例に挙げられる。
【００２９】
このような携帯端末機１は、本実施例によるスイング式カバー開閉装置１００によって、カバー５を予め設定された任意の回転軌跡に沿って時計回りの方向あるいは反時計回りの方向に回転させられる構造からなる。
【００３０】
携帯端末機１は本体３とカバー５とがほぼ正四角形を成し、カバー５は、前面（カバーを立てた時の前面）の上側角部に、後方に向かって中空軸部６が突出するように形成される。
【００３１】
そして、前記本体３は、カバー５の中空軸部６に対応する角部に本実施例によるスイング式カバー開閉装置１００を装着するための装着部４を形成している。
【００３２】
この装着部４は、前記スイング式カバー開閉装置１００と形態の結合を成す凹溝からなり、その底面には、カバー５の中空軸部６を回転可能に支持する支持溝８を形成している。
【００３３】
ここで、前記カバー５の前面を基準として、中空軸部６の周辺部分、及び装着部４の底面には、ボルト及びリベットなどの締結部材Ｂ１、Ｂ２（図３参照）が締結される多数の第１及び第２締結ホール７、９が各々形成されている。
【００３４】
前記のような本発明の例示的な実施例によるスイング式カバー開閉装置１００は、前述の携帯電話機に適用されることに限定されず、ＰＤＡ、ＰＭＰ、ＤＭＢなどの各種携帯端末機に適用されることもできる。
【００３５】
図３は、本発明の例示的な実施例による携帯端末機用スイング式カバー開閉装置を示した分解斜視図であり、図４は図３の結合斜視図であり、図５は図４の断面構成図である。
【００３６】
前述の図１及び図２と共に前記図面を参照すれば、本発明の例示的な実施例による携帯端末機用スイング式カバー開閉装置１００は、カバー５の開閉動作が滑らかでかつ安定的であり、簡単な構造としてカバー５を半自動的に回転させることができ、携帯端末機１のスリム化及び軽量化を実現させる構成からなる。
【００３７】
このような携帯端末機用スイング式カバー開閉装置１００は、基本的に、固定板１０、回転体３０、カバー部材５０、及び弾性ユニット７０を含んで構成され、これを各構成別により詳しく説明すれば次の通りである。
【００３８】
本実施例において、前記固定板１０は、カバー５の中空軸部６に対応して本体３の前面（本体を立てた時の前面）の上側角部に固定されるように設置される。
【００３９】
前記固定板１０は本体３の装着部４に形態の結合を成して装着され、その装着部４の支持溝８に連結される貫通孔１１が形成されている。
【００４０】
ここで、前記貫通孔１１は、カバー５の中空軸部６が貫くとともに装着部４の支持溝８で支持される円形の孔からなる。
【００４１】
前記固定板１０には、ボルト及びリベットなどのような締結部材Ｂ２が装着部４の第２締結ホール９を貫いて締結される多数の第３締結ホールＨ１を周辺部分に形成している。
【００４２】
そして、前記固定板１０には、後述のカバー部材５０をボルト及びリベットなどのような締結部材Ｂ３によって固定させるための複数の第４締結ホールＨ２を周辺部分に形成している。
【００４３】
これと共に前記固定板１０には、後述の弾性ユニット７０の一側端部を回転可能に結合するための結合ホールＨ３を備えている。
【００４４】
また、前記固定板１０は、貫通孔１１の周辺部分にて円周方向に沿って一体として突出するように形成される環状突起１２をさらに含んでいる。
【００４５】
前記環状突起１２は、固定板１０の上面から一定の幅を有して突出するように形成される。この環状突起１２は後述の回転体３０を回転可能に支持するためのものである。
【００４６】
さらに、前記固定板１０は、環状突起１２の外側に少なくとも９０度以上の回転軌跡、好ましくは９０度の回転軌跡を描く円弧形状のレール部１３を形成し、そのレール部１３の両端部には突起形態の係止部１４が各々形成される。
【００４７】
本実施例において、前記回転体３０は固定板１０の環状突起１２に回転可能に結合され、全体的な外観形状が中空３１を有するディスク形態からなる。
【００４８】
前記回転体３０は、中空３１にカバー５の中空軸部６が嵌合され、固定板１０の貫通孔１１を通過して本体３の支持溝８に支持された状態で締結部材Ｂ１によってカバー５と締結される。
【００４９】
このように回転体３０を固定板１０の環状突起１２に回転可能に結合し、その回転体３０をカバー５と締結するために、本実施例による前記回転体３０はその上部面に複数の締結部３２を形成し、下部面には円形の結合溝３３（図６参照）を形成している。
【００５０】
前記各締結部３２は、回転体３０の上部面に一定の間隔をおいて突起形態として突出するように形成される。
【００５１】
各々の締結部３２には、カバー５の第１締結ホール７を通過した第１締結部材Ｂ１の端部が締結される第５締結ホールＨ４が形成されている。
【００５２】
このような第５締結ホールＨ４は前述の結合溝３３と相互連結されるように形成されるが、本実施例では締結部３２に孔形態の第５締結ホールＨ４を形成することに必ずしも限定されず、結合溝３３に貫通されない締結溝を形成することもできる。
【００５３】
そして、前記結合溝３３は、図６に示したように、固定板１０の環状突起１２に対応して回転体３０の下部面に形成され、中空３１の周辺外側にその中空３１の円周方向に沿って形成される。
【００５４】
この場合、前記結合溝３３は固定板１０の環状突起１２と形態の結合を成し、その環状突起１２に対して所定のギャップを形成する凹溝からなる。
【００５５】
また、前記回転体３０は、結合溝３３を通じて固定板１０の環状突起１２に回転可能に装着された状態で、その環状突起１２の内周面を支持するための支持突起３４を形成している。
【００５６】
ここで、前記支持突起３４は結合溝３３の内側壁（言い換えれば中空３１の内側壁）からなり、その結合溝３３の深さより相対的に大きい幅を有し、回転体３０の上部から下部方向へ突出するように形成される。
【００５７】
そして、前記回転体３０は、その下部面に固定板１０のレール部１３に沿ってスライディングされる突起形態のストッパー３５を一体に形成している。
【００５８】
前記ストッパー３５はレール部１３に形態の結合を成し、カバー５を通した回転体３０の回転によってそのレール部１３に沿ってスライディングされる。
【００５９】
このようなストッパー３５は、回転体３０が回転する時、レール部１３に沿ってスライディングされると共にそのレール部１３両側の係止部１４に掛かることによって、前記回転体３０が予め設定された回転角度（９０度）以上に回転することを阻止する機能を果たす。
【００６０】
そして、前記回転体３０は、後述の弾性ユニット７０の他の一側端部を回転可能に結合するためのヒンジ突起３６をその下部面に一体に形成している。
【００６１】
本実施例において、前記カバー部材５０は、回転体３０が固定板１０から離脱することを防止するように回転体３０の外側周辺部分を支持するためのものである。
【００６２】
このカバー部材５０は、回転体３０の外側周辺部分を支持するために回転体３０の中空３１に対応する支持孔５１を有し、締結部材Ｂ３によって固定板１０に締結される。
【００６３】
前記カバー部材５０は、固定板１０の上面を覆いながら、支持孔５１の周辺部分を通じて回転体３０の外側周辺部分を支持するようになるが、これを満足するために、回転体３０の外側周辺部分には段差面３７を形成している。
【００６４】
このような段差面３７は支持孔５１の周辺部分に相応する幅として、回転体３０の円周方向に沿って形成される。
【００６５】
そして、前記カバー部材５０には前述の締結部材Ｂ３を締結するために、固定板１０の第４締結ホールＨ２に対応する複数の第６締結ホールＨ５を周辺部分に形成している。
【００６６】
したがって、締結部材Ｂ３がカバー部材５０の第６締結ホールＨ５を通じて固定板１０の第４締結ホールＨ２に締結されることにより、前記カバー部材５０は支持孔５１の周辺部分を通じて、回転体３０の外側周辺部分を支持した状態で固定板１０に結合される。
【００６７】
また、前記カバー部材５０は固定板１０との結合力をより補強するために、その周辺部分に複数のフック５３を形成している。
【００６８】
前記各フック５３はカバー部材５０と一体に形成され、固定板１０の周辺部分に折り曲げられた形態を有し、フックホール５５が形成されている。
【００６９】
一方、前記カバー部材５０のフック５３に対応して、固定板１０の周辺部分にはそのフック５３のフックホール５５を通じて結合されることができるフック突起１５が形成される。
【００７０】
本実施例において、前記弾性ユニット７０は、携帯端末機１のカバー５を通じた回転体３０の回転によってその回転体３０に弾発力を提供するためのものである。
【００７１】
つまり、前記弾性ユニット７０は、カバー５が一定の区間を回転する時まで使用者がカバー５に力を加えることによって、カバー５と共に回転する回転体３０に弾発力が提供され、残りの区間で、その弾発力によってカバー５の回転運動が自動的に行われるようにする機能を果たす。
【００７２】
前記弾性ユニット７０は、固定板１０の結合ホールＨ３及び回転体３０のヒンジ突起３６に両端部が各々回転可能に結合される。
【００７３】
このような弾性ユニット７０は、図７に示したように、ハウジング７１、スライド部材８１、及び複数のスプリング部材９１を含んで構成される。
【００７４】
ここで、前記ハウジング７１は固定板１０に回転可能に結合され、スライド部材８１は回転体３０の下部面に回転可能に連結されながら、ハウジング７１の内部にスライディング及びロッキング可能に結合される。そして、スプリング部材９１はハウジング７１の内部に設けられる。
【００７５】
前記弾性ユニット７０を各構成別に詳しく説明すれば、まず、ハウジング７１はプレート形態から構成され、ヒンジピン７２によって固定板１０の結合ホールＨ３に回転可能に設置される。
【００７６】
これのために、前記ハウジング７１の一側端部には、固定板１０の結合ホールＨ３を通過したヒンジピン７２が結合される第１ヒンジホール７３を形成している。
【００７７】
本実施例において、前記ハウジング７１は回転体３０の中空３１の中心と同一線上に位置するヒンジ点、つまり、固定板１０の結合ホールＨ３と第１ヒンジホール７３が一致した状態でヒンジピン７２が嵌合された地点を中心に、９０度の軌跡を描きながら回転可能に設置される。
【００７８】
そして、前記ハウジング７１は、他の一側端部から内部に、幅方向に沿って各々のスプリング部材９１を装着するための複数のスプリング装着溝７４を連続して形成している。
【００７９】
好ましくは、前記スプリング装着溝７４は、ハウジング７１の内部にて幅方向に沿って一定の間隔で離隔されるように４箇所に形成される。
【００８０】
また、前記ハウジング７１の内部には、各スプリング装着溝７４と相互連結されながら、スライド部材８１が形態の結合を成して挿入されるガイド溝７５を形成している。
【００８１】
前記ガイド溝７５はハウジング７１の幅方向に沿って各スプリング装着溝７４と相互連結され、そのハウジング７１の両側サイドの部分まで延長して形成される。
【００８２】
さらに、前記ハウジング７１の両側サイド面には、ガイド溝７５に連結される長孔形態のロッキングホール７６を形成している。
【００８３】
本実施例において、前記スライド部材８１は、ハウジング７１の他の一側端部からガイド溝７５に挿入可能に板形状から構成される。
【００８４】
前記スライド部材８１は、ハウジング７１のガイド溝７５とロッキングホール７６に各々スライディング及びロッキング可能に装着された状態で、その端部が回転体３０のヒンジ突起３６にヒンジ結合される。
【００８５】
このために、前記回転体３０に対応するスライド部材８１の端部にはヒンジ突起３６と結合させる第２ヒンジホール８２が形成される。
【００８６】
そして、前記スライド部材８１は、ハウジング７１の両端側のスプリング装着溝７４に装着された各スプリング部材９１によって嵌合される一対の支持ピン８４を一体に形成している。
【００８７】
ここで、前記各支持ピン８４には、ハウジング７１のロッキングホール７６に嵌合され、スライド部材８１に発揮されるスプリング部材９１の弾発力によってそのロッキングホール７６にロッキングされるロッキング突起８８が形成される。
【００８８】
前記において、各スプリング部材９１は、ハウジング７１のスプリング装着溝７４に嵌合されてスライド部材８１に弾発力を発揮する機能を果たす。
【００８９】
このようなスプリング部材９１は、本実施例で圧縮コイルスプリングからなるのが好ましい。
【００９０】
一方、前述の弾性ユニット７０のハウジング７１に対応し、本実施例による固定板１０には、そのハウジング７１の回転軌跡に相応する装着ホール１８が形成される。
【００９１】
つまり、前記装着ホール１８はハウジング７１の回転軌跡に相応する固定板１０の一部分を切開することによって形成される。前記ハウジング７１は、その装着ホール１８の内部領域にて９０度の回転軌跡を描きながら回転する。
【００９２】
このように固定板１０にハウジング７１の回転軌跡に相応する装着ホール１８を形成する理由は、ハウジング７１の厚さの分だけ固定板１０の厚さを減らすためである。
【００９３】
したがって、本実施例では、装着ホール１８を通じて固定板１０の厚さを減らすことによって装置１００全体の厚さを減らす結果をもたらし、究極的には携帯端末機１のスリム化及び軽量化を図ることができる。
【００９４】
他方、本実施例による前記固定板１０は、回転体３０の予め設定された回転角度９０度）を補助的に制御するための補助ストッパー１９をさらに含んでいる。
【００９５】
このような補助ストッパー１９は、前述のストッパー３５の機能を補助するためのものであって、前記装着ホール１８の両側孔端からなる。
【００９６】
以下、前記のように構成される本発明の例示的な実施例による携帯端末機用スイング式カバー開閉装置１００の組み立て順序及び作動過程を詳細に説明する。
【００９７】
本発明の例示的な実施例による前記携帯端末機用スイング式カバー開閉装置１００の組み立て順序によれば、まず、本実施例では弾性ユニット７０を固定板１０に装着し、ハウジング７１の第１ヒンジホール７３と固定板１０の結合ホールＨ３を一致させた状態で、第１ヒンジホール７３と結合ホールＨ３にヒンジピン７２を嵌合する。
【００９８】
この時、前記弾性ユニット７０のハウジング７１は、固定板１０の装着ホール１８の内部領域に位置すると共にヒンジピン７２を中心に予め設定された回転角度（９０度）の軌跡に沿って装着ホール１８の内部領域にて回転可能な状態にある。
【００９９】
したがって、本実施例では、弾性ユニット７０のハウジング７１を装着ホール１８に装着することによってハウジング７１の厚さの分だけ固定板１０の厚さを減らすことができるので、これによって装置１００全体の厚さを減らすことができ、結果的には携帯端末機１のスリム化及び軽量化を図ることができる。
【０１００】
次に、回転体３０の結合溝３３を通じてその回転体３０を固定板１０の環状突起１２に回転可能に装着する。
【０１０１】
ここで、前記回転体３０は、支持突起３４によって環状突起１２の内周面を支持すると共にその環状突起１２に回転可能に装着されることができる。
【０１０２】
この過程において、本実施例では、回転体３０のストッパー３５が固定板１０のレール部１３に位置するようにし、スライド部材８１の第２ヒンジホール８２に回転体３０のヒンジ突起３６を結合する。
【０１０３】
次に、カバー部材５０によって固定板１０の上面を覆い、そのカバー部材５０の第６締結ホールＨ５と固定板１０の第４締結ホールＨ２を相互一致させた状態で、カバー部材５０のフック５３を固定板１０のフック突起１５に結合させる。
【０１０４】
そうすると、前記カバー部材５０は支持孔５１の周辺部分が回転体３０の段差面３７に自然に安着しながら、その回転体３０の周辺部分を支持するようになる。
【０１０５】
最後に、ボルト及びリベットなどのような締結部材Ｂ３を第６締結ホールＨ５を通して第４締結ホールＨ２に締結すると、本実施例による携帯端末機用スイング式カバー開閉装置１００の組み立ては完了する。
【０１０６】
前述のように組み立てられた本実施例による携帯端末機用スイング式カバー開閉装置１００は携帯端末機１の本体３及びカバー５に装着されるが、その装着過程によれば、まず、本実施例では、携帯端末機１の本体３の装着部４に本装置１００を嵌合する。
【０１０７】
そうすれば、回転体３０の中空３１と装着部４の支持溝８は自然に一致され、その装着部４の第２締結ホール９及び固定板１０の第３締結ホールＨ１もまた、相互一致した状態を維持するようになる。
【０１０８】
この状態で、締結部材Ｂ２らを第２締結ホール９を通して第３締結ホールＨ１に締結することによって本装置１００が本体３の装着部４に堅固に固定される。
【０１０９】
前記過程を経た後、カバー５の中空軸部６を回転体３０の中空３１に嵌合するが、その中空軸部６は固定板１０の貫通孔１１を通過して装着部４の支持溝８で支持される。
【０１１０】
最後に、カバー５の第１締結ホール７と回転体３０の締結部３２とを一致させた状態で、締結部材Ｂ１を第１締結ホール７を通して締結部３２に締結すると、そのカバー５が回転体３０に固定されることによって携帯端末機に対する本実施例によるスイング式カバー開閉装置１００の装着が完了する。
【０１１１】
以下、前述のように携帯端末機１に構成された本発明の例示的な実施例による携帯端末機用スイング式カバー開閉装置１００の作動過程を、前で開示した図面及び下記の図面を参照して詳しく説明する。
【０１１２】
まず、図１のように携帯端末機１の本体３に対してカバー５を完全に閉じた場合、弾性ユニット７０はカバー５の回転方向に対して斜めである状態を維持する。
【０１１３】
ここで、前記弾性ユニット７０のスプリング部材９１には、回転体３０から比較的小さい弾発力が作用する。
【０１１４】
この時、前記回転体３０は、そのストッパー３５がレール部１３の一側の係止部１４に掛かっている状態にある。
【０１１５】
そして、前記弾性ユニット７０のハウジング７１は固定板１０の補助ストッパー１９、つまり、装着ホール１８の一側孔端にストッピングされた状態にある。
【０１１６】
このような状態で、図８のようにカバー５に時計回りの方向に回転力を加えれば、そのカバー５はその中空軸部６を中心軸にして、本体３の装着部４に支持された状態で回転体３０と共に回転し始める。
【０１１７】
この過程で、カバー５が本体３から半分ほど（ほぼ９０度）開けられる時まで回転するようになれば、前記回転体３０はほぼ４５度時計回りの方向に回転するようになる。
【０１１８】
つまり、前記回転体３０は、固定板１０の環状突起１２に支持された状態で、ストッパー３５が固定板１０のレール部１３に沿ってスライディングされると共に時計回りの方向への回転が行われるようになる。
【０１１９】
前記過程を経る間、弾性ユニット７０は、そのハウジング７１とスライド部材８１が固定板１０及び回転体３０に各々ヒンジ結合されているので、これら固定板１０及び回転体３０のヒンジ点を中心に回転体３０の回転方向と反対の反時計回りの方向に回転するようになる。
【０１２０】
そして、前記弾性ユニット７０は、回転体３０がほぼ４５度時計回りの方向に回転した状態でその回転体３０の中空３１の中心と同一線上（頂点）に位置するようになる。
【０１２１】
したがって、前記のように弾性ユニット７０が回転体３０と共に回転することによってその弾性ユニット７０のスライド部材８１はスプリング部材９１を最大に圧縮するようになり、スプリング部材９１はその弾性復原力をスライド部材８１を通じて回転体３０に発揮する。
【０１２２】
この後、使用者がカバー５に対して継続して回転力を加えると、図９のように、回転体３０は弾性ユニット７０が中空３１の中心と同一線上を通過する瞬間、使用者がそれ以上カバー５に力を加えなくてもスプリング部材９１の弾性復原力がスライド部材８１を通じて提供されるので、時計回りの方向に沿って自動的に回転するようになる。
【０１２３】
ここで、前記回転体３０は、ストッパー３５が固定板１０のレール部１３に沿ってスライディングされると共に時計回りの方向への回転が行われ、そのストッパー３５がレール部１３の他の一側の係止部１４に掛かって４５度だけ回転する。
【０１２４】
この過程で、前記弾性ユニット７０は回転体３０と共に回転しながらそのハウジング７１が固定板１０の補助ストッパー１９、つまり、装着ホール１８の他の一側の孔端にストッピングされた状態にあり、スプリング部材９１はカバー５が閉じられた時と同様に原状復原されながら弾発力が弱くなったり解除される。
【０１２５】
したがって、本実施例では、回転体３０が前記のような作動で９０度だけ回転することにより、携帯端末機１のカバー５は本体３から１８０度回転しながら完全に開けられるようになる。
【０１２６】
このように、前記回転体３０が９０度回転する間にカバー５が１８０度回転する理由は、携帯端末機１の本体３及びカバー５が正四角形からなり、本実施例によるスイング式カバー開閉装置１００がその本体３とカバー５の間でこれらの角部分に構成されているためである。
【０１２７】
一方、カバー５の開放が完了した状態でそのカバー５を再び閉じる場合、前記カバー５に反時計回りの方向に力を加えれば、前記カバー５の開放作動の逆順に各部品の動作が行われて、カバー５は完全に閉じられるようになる。
【０１２８】
これによって、本実施例では、固定板１０に回転可能に支持される回転体３０と、その固定板１０及び回転体３０にヒンジ結合されるリンクタイプの弾性ユニット７０とを備えることにより、カム構造による面接触方式の従来技術に比べて耐久性が向上され、簡単な構造でカバー５をより滑らかにかつ安定的に開閉させるのが可能である。
【０１２９】
そして、本実施例では、固定板１０及び回転体３０が板形態を有し、その固定板１０に弾性ユニット７０を装着するための装着ホール１８を形成しているので、全体的な厚さを減らすことができ、結果的には携帯端末機１のスリム化及び軽量化に有利であるという効果がある。
【０１３０】
以上、本発明の好ましい実施例について説明したが、本発明はこれに限定されるものではなく、特許請求の範囲と発明の詳細な説明及び添付した図面の範囲内で多様に変形して実施することが可能であり、これもまた本発明の範囲に属する。
【符号の説明】
【０１３１】
１      携帯端末機
３      本体
４      装着部
５      カバー
６      中空軸部
７      第１締結ホール
８      支持溝
９      第２締結ホール
１０      固定板
１１      貫通孔
１２      環状突起
１３      レール部
１４      係止部
１５      フック突起
１８      装着ホール
１９      補助ストッパー
３０      回転体
３１      中空
３２      締結部
３３      結合溝
３４      支持突起
３５      ストッパー
３６      ヒンジ突起
３７      段差面
５０      カバー部材
５１      支持孔
５３      フック
５５      フックホール
７０      弾性ユニット
７１      ハウジング
７２      ヒンジピン
７３      第１ヒンジホール
７４      スプリング装着溝
７５      ガイド溝
７６      ロッキングホール
８１      スライド部材
８２      第２ヒンジホール
８４      支持ピン
８８      ロッキング突起
９１      スプリング部材
１００      スイング式カバー開閉装置
Ｂ１、Ｂ２、Ｂ３      締結部材
Ｈ１      第３締結ホール
Ｈ２      第４締結ホール
Ｈ３      結合ホール
Ｈ４      第５締結ホール
Ｈ５      第６締結ホール
【図１】
2011526764.tif 000003
【図２】
2011526764.tif 000004
【図３】
2011526764.tif 000005
【図４】
2011526764.tif 000006
【図５】
2011526764.tif 000007
【図６】
2011526764.tif 000008
【図７】
2011526764.tif 000009
【図８】
2011526764.tif 000010
【図９】
2011526764.tif 000011
【国際調査報告】
2011526764.tif 000012
2011526764.tif 000013